(57)【要約】      （修正有）【課題】カレンダーの日付けの数字にカバラの六芒星の中に吉数、大吉数、六大吉数等の数字を足したり陰陽五行説を使い全ての日付けの数字を出来るだけ吉数や大吉数や六大吉数に直した吉日のカレンダーで一生使えるカレンダーを提供する。【解決手段】カレンダーの日付けの数字をカバラ六芒星を使い姓名判断と同じよう数字を足し、全ての日付けの数字を出来るだけ吉数、大吉数、六大吉数に直し、陰陽五行説による木、火、土、金、水をなるべく良い関係とし、陰陽の陰と陽がなるべく交互となる配列とし、六芒星や数字に色をつける。西暦や何月を表す月と曜日を回転させ今日の日付けの日が輝きホワイトボードや透明なセロハンシートと水性ペンとマグネットペンや縦横移動のみで全ての予定や日程やスケジュールを消せるレバーを使用し、一生使えるカレンダーにする。裏にマグネットやフックを付け冷蔵庫等にも付けられる様にする。【選択図】図３
2013107386.tif 000002
【特許請求の範囲】
【請求項１】
変更
カレンダーの日付けの数字の１日から３１日の数には、六大吉数、大吉数、吉数凶数、大凶数、四大凶数、というものが有ります。姓名判断等全ての数字に当てはまります。ちなみに、１が大吉数で２が大凶数で３が大吉数で４が大凶数で５が大吉数で６が六大吉数で７が吉数で８が吉数で９が四大凶数で１０が四大凶数で１１が大吉数で１２が大凶数で１３が大吉数で１４が凶数で１５が六大吉数で１６が大吉数で１７が吉数で１８が吉数で１９が四大凶数で２０が四大凶数で２１が大吉数で２２が凶数で２３が大吉数で２４が六大吉数で２５が吉数で２６が凶数で２７が凶数で２８が凶数で２９が大吉数で３０が凶数で３１が六大吉数となっています。
このカレンダーの日付けの数字にカバラ六芒星や手相の良いマークの幸運のフィッシュ等を使い姓名判断等の良い数字を足し陰陽五行説や陰陽配列をなるべくそろえ良い数字にパワーアップさせるカレンダーです。
【請求項２】
変更
カバラ六芒星や幸運のフィッシュ等を使いその中に入った数字に吉数や大吉数や六大吉数を三つ足します。それにより凶数や大凶数や四大凶数等を打ち消します。そして吉数、大吉数、六大吉数をよりパワーアップさせます。そして姓名判断と同じ用に数字を足すと、総数が吉数、大吉数、六大吉数となります。
【請求項３】
変更
次に陰陽五行説を使用したカレンダーで有ります。
今までのカレンダーの配置ですと１日から３１日までが、横並びだったり１日から５日が横並びで下の段の左下から始まっていました。
この並びですと上下左右斜めの関係が陰陽五行説の木、火、土、金、水の良い関係と、普通の関係と悪い関係が入りあまり良い関係とは言えないのです。
2013107386.tif 000004
木と良いのは水、火で火と良いのは木、土で土と良いのは火、金で金と良いのは土、水で水と良いのは金、木ですから今までのカレンダーの悪い関係をなるべく無くして良い関係と普通の関係になるようにしたいのです。
【請求項４】
変更
次に陰陽の配列で陰、偶数、陽、奇数、そして［図３］の様に陰と陽がなるべくバランス良く入っている配列なのです。この［図３］の陰と陽をなるべくバランス良くいれる事によって更に数字の力をパワーアップさせてくれます。そしてカバラ六芒星の色や数字の色も５種類〜１０種類に分けて色を付けたいのです。
【請求項５】
変更
この［図３］のカレンダーにホログラム（光り輝く）色を使って作りたいのです。
【請求項６】
変更
このボードの裏に［図４］のようにフックとマグネットと電池が入る所と日付け調節を付けたいのです。冷蔵庫に付けられれば便利だからです。
【請求項７】
変更  次に（公序良俗違反につき、不掲載）様や（公序良俗違反につき、不掲載）様から販売されている水性ペンで書けたり消せたり出来るスケジュールボードや（公序良俗違反につき、不掲載）様から出ている先生シリーズで使用されているホワイトボードやお絵かきボードや透明な色付きシート等と水性ペンやマグネットペンと縦横移動で全ての文字が消せるイレイサーレバーを使用したいのです。
【請求項８】
変更
次に［図５］のように西暦〜年（平成〜年）と干支と月曜日〜日曜日までの曜日をスロットマシンの様な回転式にし［図６］のようにその日の日付けの色が輝く（変わる）一生使えるカレンダーを作りたいのです。
【請求項９】
変更
全宇宙の神々様や大天使様や女神様やアセンデットマスター様や世界の大英雄様等や世界遺産やお城や美しい風景等をデザインに入れたいのです。
【請求項１０】
変更
僕はこの陰陽五行に吉数を足した吉日カレンダーに占星術の効果も付けて欲しいのです。つまり、まん中の部分が地球を表していて全ての星々様（神々様）等からパワーを受け取るという意味です。
【請求項１１】
追加
僕は、このカレンダーの全てのデザイン（全宇宙の全ての神々様や大天使様や女神様やアセンデットマスター様等）にプラスチック製の宝石の形の物や星の形等（いろいろ）を付け見た目や見栄えが良いカレンダーを作りたいのです。（オリジナルデザイン）色々なデザインのカレンダーを作りたいのです。
【請求項１２】
僕はこのカレンダーに付属品として、色々な色やデザインを使った（透明な赤や青や緑や金と銀やホログラムを使った）蝶の形のマグネットを付けたいのです。
【請求項１３】
追加
この数字を世界中のそれぞれの国の良い数を足したいのです。
（例えば、日本では４や９の数字は嫌われていますがアメリカ合衆国なら悪い数字ではありません。）（他中国では８という数字が好まれています。）
【発明の詳細な説明】
【０００１】  本発明は、カレンダーの１日から３１日までの日付けの数字に関し、凶数の日付けの数字を吉の日の数字にし、一生使えるカレンダーを作る事に関します。
【背景技術】
【０００２】  今までのカレンダーは１日から３１日までのカレンダーとして出来ていました。そして、その並び方も、ほとんどのカレンダーが同じで陰陽五行説に元ずくと良いと悪い関係がまざってしまいます。【０００３】（公序良俗違反につき、不掲載）カレンダーの文字や日付けを書けて消せますが、まだ改良のよちはあると思います。
【発明の開示】
【発明が解決しようとする問題】
【０００４】  しかし今までのカレンダーは数字の数に、吉数、大吉数、六大吉数、凶数、大凶数、四大凶数等がある事を知らないのです。世の中の全ての数字にそれがあるのです。
そして僕が調べた結果、吉数、大吉数、六大吉数が１８日あり、凶数、大凶数、四大凶数が１３日あります。つまり、３１日の日付けの数の三分の一以上が凶数の数の日付けです。
僕は、これを何とかしようと考えました。
【０００５】  そして今までのカレンダーは、一年が過ぎれば買い替えなければいけませんでした
【問題を解決する為の手段】
【０００６】  まず凶数の日付けを吉にちかづける為にカバラの六芒星や手相の良い印フィッシュ（魚のマーク）等使用します。カバラの六芒星やフィッシュの中に数字が入る事により、数字がパワーアップします。
【０００７】                    変更
次にカバラの六芒星やフィッシュ等に入った数字の外に姓名判断等で使用される１の大吉数、３の大吉数、６の六大吉数、７の吉数、８の吉数を３つ加えます。それにより、凶の数字の日付けの数字を打ち消します。そして姓名判断と同じ用に数字を足しても、総数が吉数、大吉数、六大吉数になります。そして、更にパワーアップします。
【０００８】                    変更
次に［図１］［図２］［図３］の陰陽五行説の木、１，２、火、３、４、土、５、６、金、７，８、水、９、１０、を出来るだけ良い関係にする事と悪い関係を出来るだけ減らす事と陰、偶数、陽、奇数を出来るだけバランスのとれた配列にすることです。そして、更にパワーアップします。
【０００９】                    変更
そして［図３］のように水性ペンやマグネットペンを使用し全ての文字を消去出来るホワイトボードやお絵かきボードや透明セロハンシートと縦横のイレイサーレバー付きです。このレバーを縦横に移動するだけで消したい文字を消去出来ます。
【００１０】                    変更
このカレンダーの配列にはまん中の何月を表す場所が地球にあたる場所になります。
そしてまん中を包むように六芒星の星々様達や太陽（アマテラスオオミカミ様）右上や月（アルテミス様）左上が地球にパワーやエネルギーを与えて下さっているという占星術をイメージしてデザインしました。その他の（デザインもあります）
【００１１】                    変更
この［図３］のカレンダーにホログラム（光り輝く）色等を使って作りたいのです。
【００１２】                    変更
神々様や大天使様や女神様等を入れてオリジナルなカレンダーを作りたいのです。
【００１３】  このカレンダーに世界遺産やお城等のデザインや美しい景色等のデザインにしたいのです。
【００１４】  このカレンダーに色々な色とデザインの蝶の形のマグネットを（透明な赤や青や緑や金色や銀色等）付けたいのです。
【００１５】                    変更
このカレンダーの発明により１３個の凶数の日にちを吉に近づける事が出来１８個の吉数の日をパワーアップさせます。そして、一生使えます。
【００１６】                    追加
このカレンダーの星々様や神々様等にプラスチック製の星や宝石型の物も付けたいのです。
（オリジナルなデザインにしたいのです）
［図１、２，３，５、の説明］
【００１７】                    追加
［図１の説明］    ［陰陽五行の良い関係と悪い関係の図］
この陰陽五行説というのは中国から始まった全ての物は木、火、土、金、水、からなりたっており木、火、土、金、水の関係はつまり良い関係と普通の関係と悪い関係とに分類されます。
そして、今までのカレンダーの陰陽五行の関係はこれが全て入っています。
ですから、僕は、この悪い関係を無くしたかったのです。
2013107386.tif 000003
末尾が１，２が木です。３，４が火です。５，６が土です。７，８が金です。９，１０が水です。
つまり、この表の隣同士が良い関係で、１つ飛ばし２つ飛ばしが悪い関係となります。
【００１８】                    追加
［図２の説明］    ［今までのカレンダー陰陽五行の配列］
この［図２］の今までのカレンダー表を見て頂ければ解かるとうり左右上下斜め全ての数字が陰陽五行説の良い関係と普通の関係と悪い関係が入っています。ですから、良い関係を悪い関係が邪魔しているのです。これでは、あまり良い関係とはいいません。
これをなるべく良い関係と普通の関係のみにしたいのです。悪い関係を出来るだけ無くしたいのです。
【００１９】                    追加
［図３］の説明    ［今までのカレンダーに良い数字を足し陰陽五行の配列を直したカレンダー］
僕が学んだ数字の良い数字を足して足した総数も大吉数や六大吉数となり今までのカレンダーの陰陽五行も悪い関係をなるべく無くしてどの数字もなるべく良い関係と普通の関係しか入らず占星術の意味も含め一生使えて日付けも間違えにくくなるカレンダーの完成の一歩手前（未完成）の図です。（ここに、色などの色々なデザインもくわえる為です。）
【００２０】                      追加
［図４の説明］    ［背面図］
この［図４］はこのカレンダーの背面図です。まずマグネットが付いており冷蔵庫等にも付きます。そしてフックも付いていて壁等にも付けられます。そして、電池を入れる所と日付け調節があります。
【００２１】                    追加
［図５の説明］
この［図５］は［図３］の拡大図です。この意味は、西暦〜年（平成〜年）と何月と干支と曜日の（月曜、火曜、水曜、木曜、金曜、土曜、日曜）のかしょがスロットマシンの様な回転式でどのような日付けにも合わせることが出来ます。
【００２２】                    追加
そして、［図６］の意味はこのカレンダーの中の中心部分に豆電球が付けられ黒いボードが入っていてその日付けの日になると、その日付けの部分が開きその日付けだけが輝き（ひかる）一目見ただけで今日の日付けがわかります。
【００２３】このカバラ六芒星の外に足す数字を世界中の国々で良いとされている数字を使いたいのです。
（日本では良い数字ですが他の国では悪い数字は使わずに日本では悪い数字ですが他の国では良い数字を使って世界中のカレンダーを作りたいのです。）
【図１】
2013107386.tif 000005
【図２】
2013107386.tif 000006
【図２】
2013107386.tif 000007
【図３】
2013107386.tif 000008
【図４】
2013107386.tif 000009
【図５】
2013107386.tif 000010
【図６】
2013107386.tif 000011
【手続補正書】
【提出日】平成24年7月14日(2012.7.14)
【手続補正１】
【補正対象書類名】明細書
【補正対象項目名】全文
【補正方法】変更
【補正の内容】
【発明の詳細な説明】
【０００１】  本発明は、カレンダーの１日から３１日までの日付けの数字に関し、凶数の日付けの数字を吉の日の数字にし、一生使えるカレンダーを作る事に関します。
【背景技術】
【０００２】  今までのカレンダーは１日から３１日までのカレンダーとして出来ていました。そして、その並び方も、ほとんどのカレンダーが同じで陰陽五行説に元ずくと良いと悪い関係がまざってしまいます。【０００３】（公序良俗違反につき、不掲載）カレンダーの文字や日付けを書けて消せますが、まだ改良のよちはあると思います。
【発明の開示】
【発明が解決しようとする問題】
【０００４】  しかし今までのカレンダーは数字の数に、吉数、大吉数、六大吉数、凶数、大凶数、四大凶数等がある事を知らないのです。世の中の全ての数字にそれがあるのです。
そして僕が調べた結果、吉数、大吉数、六大吉数が１８日あり、凶数、大凶数、四大凶数が１３日あります。つまり、３１日の日付けの数の三分の一以上が凶数の数の日付けです。
僕は、これを何とかしようと考えました。
【０００５】  そして今までのカレンダーは、一年が過ぎれば買い替えなければいけませんでした
【問題を解決する為の手段】
【０００６】  まず凶数の日付けを吉にちかづける為にカバラの六芒星や手相の良い印フィッシュ（魚のマーク）等使用します。カバラの六芒星やフィッシュの中に数字が入る事により、数字がパワーアップします。
【０００７】  次にカバラの六芒星やフィッシュ等に入った数字の外に姓名判断等で使用される１の大吉数、３の大吉数、６の六大吉数、７の吉数、８の吉数を３つ加えます。それにより、凶の数字の日付けの数字を打ち消します。そして姓名判断と同じ用に数字を足しても、総数が吉数、大吉数、六大吉数になります。そして、更にパワーアップします。
【０００８】  次に図１  図２  図３  図４の陰陽五行説の木、１，２、火、３、４、土、５、６、金、７，８、水、９、１０、を出来るだけ良い関係にする事と悪い関係を出来るだけ減らす事と陰、偶数、陽、奇数を出来るだけバランスのとれた配列にすることです。そして、更にパワーアップします。
【０００９】  そして図４のように水性ペンやマグネットペンを使用し全ての文字を消去出来るホワイトボードやお絵かきボードや透明セロハンシート等と縦横のイレイサーレバー付きです。このレバーを縦横に移動するだけで消したい文字を消去出来ます。
【００１０】  このカレンダーの配列にはまん中の何月を表す場所が地球にあたる場所になります。
そしてまん中を包むように六芒星の星々様達や太陽（アマテラスオオミカミ様）右上や月（アルテミス様）左上が地球にパワーやエネルギーを与えて下さっているという占星術をイメージしてデザインしました。その他の（デザインもあります）
【００１１】  この図４のカレンダーにホログラム（光り輝く）色等を使って作りたいのです。
【００１２】  神々様や大天使様や女神様等を入れてオリジナルなカレンダーを作りたいのです。
【００１３】  このカレンダーに世界遺産やお城等のデザインや美しい景色等のデザインにしたいのです。
【００１４】  このカレンダーに色々な色とデザインの蝶の形のマグネットを（透明な赤や青や緑や金色や銀色等）付けたいのです。
【００１５】  このカレンダーの発明により１３個の凶数の日にちを吉に近づける事が出来１８個の吉数の日をパワーアップさせます。そして、一生使えます。
【００１６】  このカレンダーの星々様や神々様等にプラスチック製の星や宝石型の物も付けたいのです。（オリジナルなデザインにしたいのです）
【００１７】このカバラ六芒星の外に足す数字を世界中の国々で良いとされている数字を使いたいのです。（日本では良い数字ですが他の国では悪い数字は使わずに日本では悪い数字ですが他の国では良い数字を使って世界中のカレンダーを作りたいのです。）
【図面の簡単な説明】
【００１８】
【図１】
2013107386.tif 000012
【図２】  今までのカレンダー陰陽五行の配列  この図２  図３の今までのカレンダー表を見て頂ければ解かるとうり左右上下斜め全ての数字が陰陽五行説の良い関係と普通の関係と悪い関係が入っています。ですから、良い関係を悪い関係が邪魔しているのです。これでは、あまり良い関係とはいいません。これをなるべく良い関係と普通の関係のみにしたいのです。悪い関係を出来るだけ無くしたいのです。
【図３】  今までのカレンダー陰陽五行の配列  この図２  図３の今までのカレンダー表を見て頂ければ解かるとうり左右上下斜め全ての数字が陰陽五行説の良い関係と普通の関係と悪い関係が入っています。ですから、良い関係を悪い関係が邪魔しているのです。これでは、あまり良い関係とはいいません。これをなるべく良い関係と普通の関係のみにしたいのです。悪い関係を出来るだけ無くしたいのです。
【図４】  今までのカレンダー陰陽五行の配列  この図２  図３の今までのカレンダー表を見て頂ければ解かるとうり左右上下斜め全ての数字が陰陽五行説の良い関係と普通の関係と悪い関係が入っています。ですから、良い関係を悪い関係が邪魔しているのです。これでは、あまり良い関係とはいいません。これをなるべく良い関係と普通の関係のみにしたいのです。悪い関係を出来るだけ無くしたいのです。僕が学んだ数字の良い数字を足して足した総数も大吉数や六大吉数となり今までのカレンダーの陰陽五行も悪い関係をなるべく無くしてどの数字もなるべく良い関係と普通の関係しか入らず占星術の意味も含め一生使えて日付けも間違えにくくなるカレンダーの完成の一歩手前（未完成）の図です。（ここに、色などの色々なデザインもくわえる為です。）
【図５】  背面図  この図５はこのカレンダーの背面図です。まずマグネットが付いており冷蔵庫等にも付きます。そしてフックも付いていて壁等にも付けられます。そして、電池を入れる所と日付け調節等があります。
【図６】  図の４の曜日回転式の図  この図６の意味は一日が過ぎれば時計の様に曜日（月、火、水、木、金、土、日）が回転してその日の曜日に自動に変わります。
【図７】  図の４の変化する場所の拡大図  この図７は図４の変化する場所の拡大図です。この意味は、西暦〜年（平成〜年）と何月と干支と曜日の（月曜、火曜、水曜、木曜、金曜、土曜、日曜）のかしょがスロットマシンの様な回転式でどのような日付けにも合わせることが出来ます。
【図８】  図の８はこのカレンダーの中の構造  そして、図８の意味はこのカレンダーの中の中心部分に豆電球が付けられ黒いボードが入っていてその日付けの日になると、その日付けの部分が開きその日付けだけが輝き（ひかる）一目見ただけで今日の日付けがわかります。
【手続補正２】
【補正対象書類名】図面
【補正対象項目名】全図
【補正方法】変更
【補正の内容】
【図１】
2013107386.tif 000013
【図２】
2013107386.tif 000014
【図３】
2013107386.tif 000015
【図４】
2013107386.tif 000016
【図５】
2013107386.tif 000017
【図６】
2013107386.tif 000018
【図７】
2013107386.tif 000019
【図８】
2013107386.tif 000020